(57)【特許請求の範囲】
【請求項１】
吊ボルト本体の下方に軒樋の耳部を係止するように板体の両端を上方に屈
曲して各々に耳係止部を形成するとともに中央側に設けられた開口孔を挿入して螺合し
た軒樋係止金具と吊ボルト本体の上方に屋根面の固定孔に固着するナットを螺合して成
る吊ボルトにおいて、吊ボルトの上端に有底の縦溝部を設け該縦溝部にナットを螺合し
て配設することを特徴とする吊ボルト用ナットの仮止め構造。
【発明の詳細な説明】
【０００１】
【発明の属する技術分野】
本発明は金属製の折版屋根材や波状をしたセメント系屋根材等の軒先に垂下して軒樋を係止する吊ボルト用ナットの仮止め構造に関する。
【０００２】
【従来の技術】
従来より、図５に示すように金属製の折版屋根材１１の軒先に軒樋を垂下するには特開平８−３１２０７８号に開示されており、吊ボルト本体１の下方に軒樋２の耳部３ａ，３ｂを係止するように板体４の両端を上方に屈曲して各々に耳係止部５ａ，５ｂを形成するとともに中央側に設けられた開口孔６を挿入して螺合した軒樋係止金具７と吊ボルト本体１の上方に屋根面８の固定孔９に固着するナット１０ａ，１０ｂを螺合して成る吊ボルトＡがある。
【０００３】
この吊ボルトＡの軒樋係止金具７の耳係止部５ａ，５ｂを略角型軒樋の耳部３ａ，３ｂに挿入し、ばね片１３ａ，１３ｂで押圧固着する。したがって、吊ボルトＡを折版屋根材１１に固着しようとすると最初から吊ボルトＡの吊ボルト本体１の上方にナット１０ａ，１０ｂを螺合しているので取付けの際に、ナット１０ａ，１０ｂを取外し、折版屋根材１１の固定孔９に吊ボルト本体１を挿入し、再度ナット１０ａ，１０ｂを吊ボルト本体１に挿入固着している。
【０００４】
そのために、吊ボルトＡの吊ボルト本体１からナット１０ａ，１０ｂを取外し、再度挿入するという手間があり、さらに高所での上下の高さ調整の施工作業の悪いものであった。又、高所の作業のために吊ボルト本体１からナット１０ａ，１０ｂを取外しする作業があるとナット１０ａ，１０ｂを落として紛失してしまうという問題があった。
【０００５】
本発明は、上記従来技術の問題点に鑑みて案出されたものであって、吊ボルトＡの吊ボルト本体１からナット１０ａ，１０ｂを簡単に取外しや取付作業ができるとともに吊ボルト本体１の上下の高さ調整が簡便で且つナット１０ａ，１０ｂを作業中に紛失することもない吊ボルト用ナットの仮止め構造を提供することを目的としている。
【０００６】
【課題を解決するための手段】
本発明の請求項１記載の吊ボルト用ナットの仮止め構造は、吊ボルト本体の下方に軒樋の耳部を係止するように板体の両端を上方に屈曲して各々に耳係止部を形成するとともに中央側に設けられた開口孔を挿入して螺合した軒樋係止金具と吊ボルト本体の上方に屋根面の固定孔に固着するナットを螺合して成る吊ボルトにおいて、吊ボルトの上端に有底の縦溝部を設け該縦溝部にナットを螺合して配設することを特徴とするものである。
【０００７】
したがって、吊ボルトの上端に設けられた縦溝部によって、吊ボルト用ナットの取外しや高所での上下の高さ調整や取付けの簡単な構造であり、吊ボルト用ナットを紛失してしまうこともない。
【００１２】
【発明の実施の形態】
図１は、本発明の一実施の形態に係る吊ボルトと軒樋係止金具と
の関係を示す正面図、図２の（ａ）、（ｂ）、（ｃ）は、吊ボルト本体の上端にナット
を固着する手順を示す斜視図である。図３及び図４は、本発明の参考例である吊ボルト
と軒樋係止金具との関係を示す正面図、以下、各図に従って、本発明について詳細に説
明する。
【００１３】
本発明に係る吊ボルトＢは金属製や樹脂製の吊ボルト本体１の下方に金属製や樹脂製の軒樋２の耳部３を係止するように板体４の両端を上方に屈曲して各々に耳係止部５ａ，５ｂを形成するとともに中央側に設けられた開口孔６を挿入して螺合した軒樋係止金具７と吊ボルト本体１の上方に屋根面８の固定孔９に固着するナット１０ａ，１０ｂを螺合して成り、この吊ボルト本体１の上端に有底の縦溝部１４を設け該縦溝部１４にナット１０ａ，１０ｂを螺合して配設したものである。
【００１４】
したがって、吊ボルトＢの上端を折版屋根材１１に固着するには吊ボルト本体１の上端からナット１０ａを取外し、折版屋根材１１の軒先部に設けられた開口孔１５に上端を挿入し、ドライバー等で縦溝部１４を拡開して仮止めし、上下の高さ調整を行って高さが決まったらペンチ等で吊ボルト本体１の上端をすぼめてナット１０ａを挿入し螺合する。
【００１５】
このとき、吊ボルト本体１は折版屋根材１１の固定孔９を介し、ナット１０ａ，１０ｂで挟持される。そのために、吊ボルトＢの上端を折版屋根材１１に螺合及び高さ位置調整が縦溝部１４の拡狭により可能となるので折版屋根材１１への吊ボルトＢの取付け、取外しが簡便となり、施工作業の効率化が図れる。また、吊ボルト用ナット１０ａ，１０ｂを紛失してしまうこともない。
【００１６】
さらに、図３及び図４は、本発明の参考例である吊ボルトと軒樋係止金具  であって、吊
ボルトＣは金属製や樹脂製の吊ボルト本体１の下方に金属製や樹脂製の軒  樋２の耳部３
を係止するように板体４の両端を上方に屈曲して各々に耳係止部５ａ，５  ｂを形成する
とともに中央側に設けられた開口孔６を挿入して螺合した軒樋係止金具７  と吊ボルト本
体１の上方に屋根面８の固定孔９に固着するナット１０ａ，１０ｂを螺合  して成り、軒
樋係止金具７の外側面に設けられたナット仮止め部１５ａ，１５ｂが外方  に突出する切
起し片１６を設けたものである。この軒樋係止金具７の外方に突出する切  起し片１６に
ナット１０ａ，１０ｂをネジ固定や係止手段により係止される。
【００１７】
したがって、軒樋係止金具７の外方に突出する切起し片１６にナット１０ａ，１０ｂをネジ固定や係止手段により係止されようにすればナット１０ａ，１０ｂを紛失することもなく、簡単に作業ができる。特に、吊ボルト本体１の上方でナット１０ａを取外す作業も必要がなくなり、吊ボルトＢの上端を折版屋根材１１に固着するには軒樋係止金具７の切起し片１６からナット１０ａ，１０ｂを外し屋根面８の固定孔９に固着する。
【００１８】
したがって、軒樋係止金具７の外側面に外方に突出する切起し片１６を設けてナット仮止め部１５とすることにより、吊ボルト用ナット１０ａ，１０ｂの取外しや取付けの簡単な構造であり、吊ボルト用ナット１０ａ，１０ｂを紛失してしまうこともないものである。又、軒樋係止金具７の折曲により切起し片１６を形成するので経済的である。
【００１９】
このとき、軒樋係止金具７のナット仮止め部１５ａ，１５ｂは切起し片１６だけではなく溶接や接着、係止手段により係止するようにしても良いものであり、要するに吊ボルト用ナット１０ａ，１０ｂを紛失してしまうこともないように仮止めされれば良いものである。
【００２０】
【発明の効果】
本発明の請求項１記載の吊ボルト用ナットの仮止め構造は、吊ボルト本体の下方に軒樋の耳部を係止するように板体の両端を上方に屈曲して各々に耳係止部を形成するとともに中央側に設けられた開口孔を挿入して螺合した軒樋係止金具と吊ボルト本体の上方に屋根面の固定孔に固着するナットを螺合して成る吊ボルトにおいて、吊ボルトの上端に有底の縦溝部を設け該縦溝部にナットを螺合して配設しているから、吊ボルトの上端に設けられた縦溝部によって、吊ボルト用ナットの取外しや高所での上下の高さ調整や取付けの簡単な構造であり、吊ボルト用ナットを紛失してしまうこともない。
【図面の簡単な説明】
【図１】本発明の一実施の形態に係る吊ボルトと軒樋係止金具との関係を示す正面図である。
【図２】同上の（ａ）、（ｂ）、（ｃ）は吊ボルト本体の上端にナットを固着する手順を示す斜視図である。
【図３】本発明の参考例である吊ボルトと軒樋係止金具との関係を示す正面図である。
【図４】同上の吊ボルトの軒樋係止金具の切起し片を示す一部分解した斜視図である。
【図５】従来の吊ボルト用ナットの屋根面への取付け構造を示す断面図である。
【符号の説明】
Ａ      従来の吊ボルト
Ｂ      本発明の吊ボルト
１      吊ボルト本体
２      軒樋
３      耳部
４      板体
５      耳係止部
６      開口孔
７      軒樋係止金具
８      屋根面
９      固定孔
１０    ナット
１１    折版屋根材
１４    縦溝部
【図１】
0004432195.tif 000002
【図２】
0004432195.tif 000003
【図３】
0004432195.tif 000004
【図４】
0004432195.tif 000005
【図５】
0004432195.tif 000006